(57)【要約】【課題】日常用下腿義足のソケットをそのまま用いながら、義足側の足の長さを健常側の足の長さに合うように調整することのできる日常用下腿義足ソケットの後方型板バネ足への取付構造を提供することを課題としている。【解決手段】後方型板バネ足Ｅ１の上側帯状板部Ｅに日常用下腿義足のソケットＡの下端部を取り付けるためのブラケット１を備え、ブラケット１は上側帯状板部Ｅ１に嵌合し、上側帯状板部Ｅ１の延在方向に移動可能な角筒部１１を有し、角筒部１１から下方に延在する中間部１２を有し、中間部１２の下端部から先端に向けて延在しソケットＡを下方から支持する支持板部１３を有しており、角筒部１１には上側帯状板部Ｅ１に固定する固定手段１１４が備えられ、支持板部１３にはソケットＡの下端部の上側継手Ｃ１と直接的に又は間接部材を介して連結が可能な下側継手Ｃ３が設けられた構成になっている。【選択図】図１
0003210732.tif 000002
【実用新案登録請求の範囲】
【請求項１】
使用状態において漸次上方に位置すべく直線状に延在する上側帯状板部を有する後方型板バネ足における前記上側帯状板部に、日常用下腿義足のソケットの下端部を取り付けるためのブラケットを備えた日常用下腿義足ソケットの後方型板バネ足への取付構造であって、
前記ブラケットは、前記上側帯状板部の周囲を囲むようにして当該上側帯状板部に所定の間隙をもって嵌合し、少なくとも当該上側帯状板部の延在する方向に移動可能な角筒部を基端部に有し、その角筒部から下方に延在するように形成された中間部を有し、その中間部の下端部から先端に向けて延在し、前記ソケットを下方から支持する支持板部を有する構成になっており、
前記角筒部には、当該角筒部を前記上側帯状板部に固定する固定手段が備えられており、
前記支持板部には、前記ソケットの下端部に設けられた上側継手と直接的に又は間接部材を介して連結が可能な下側継手が設けられていることを特徴とする日常用下腿義足ソケットの後方型板バネ足への取付構造。
【請求項２】
前記固定手段は、前記上側帯状板部における厚さ方向の一方の帯状面に対向する前記角筒部の正面壁部に形成された複数のネジ孔にそれぞれねじ込まれ、前記一方の帯状面に先端部を押し付ける正面固定ネジを備えた構成になっていることを特徴とする請求項１に記載の日常用下腿義足ソケットの後方型板バネ足への取付構造。
【請求項３】
前記角筒部には、当該角筒部を前記上側帯状板部に対して当該上側帯状板部の幅方向に移動調整可能な左右位置調整手段が備えられており、
前記左右位置調整手段は、上側帯状板部における幅方向の左右の各側面に対向する前記角筒部の左右の各側壁部に形成されたネジ孔にそれぞれねじ込まれ、前記側面に先端部を押し付ける側面固定ネジを備えた構成になっていることを特徴とする請求項１又は２に記載の日常用下腿義足ソケットの後方型板バネ足への取付構造。
【請求項４】
前記上側帯状板部に取り付けられ、前記ソケットの外周に巻回したベルトを当該上側帯状板部側に引き付けるようにして当該ソケットを保持するベルト用ブラケットを備えてなり、
前記ベルト用ブラケットは、前記角筒部と一体のもの又は当該角筒部とは別体のもので構成されていることを特徴とする請求項１〜３の何れかに記載の日常用下腿義足ソケットの後方型板バネ足への取付構造。
【請求項５】
前記支持板部は、前記下側継手を前記上側帯状板部の幅方向に対応する左右方向に連続的に又は所定の間隔をおいて取り付けることが可能に構成されていると共に、当該下側継手を前記左右方向に直交する先後方向に連続的に又は所定の間隔をおいて取り付けることが可能に構成されていることを特徴とする請求項１〜４の何れかに記載の日常用下腿義足ソケットの後方型板バネ足への取付構造。
【請求項６】
前記下側継手は、略正方形の各頂点に位置するように配置された４本のネジ棒を介して前記支持板部に取り付けられるようになっており、
前記支持板部は、前記４本のネジ棒における隣り合う２本のネジ棒が前記上側帯状板部の幅方向に対応する左右方向及び当該左右方向に直交する先後方向に並べて配置された状態となるように構成されており、
前記支持板部には、前記４本の各ネジ棒がそれぞれ挿入可能でかつ前記左右方向に移動可能な当該左右方向に長い形状の左右方向長孔が設けられていると共に、前記４本の各ネジ棒に対応する４つの前記左右方向長孔を一組として、複数組の当該左右方向長孔が前記先後方向に所定の間隔をおいて設けられていることを特徴とする請求項１〜４の何れかに記載の日常用下腿義足ソケットの後方型板バネ足への取付構造。
【請求項７】
前記下側継手は、略正方形の各頂点に位置するように配置された４本のネジ棒を介して前記支持板部に取り付けられるようになっており、
前記支持板部は、前記４本のネジ棒における隣り合う２本のネジ棒が前記上側帯状板部の幅方向に対応する左右方向及び当該左右方向に直交する先後方向に並べて配置された状態となるように構成されていると共に、前記隣り合う２本のネジ棒の軸心間隔の異なる二種類の前記下側継手が取り付けられるように構成されており、
前記支持板部には、前記二種類の下側継手のうち一方の下側継手における前記４本の一方の各ネジ棒がそれぞれ挿入可能な一方の孔が設けられていると共に、前記４本の一方の各ネジ棒に対応する４つの前記一方の孔を一組として、複数組の当該一方の孔が前記先後方向に所定の間隔をおいて設けられており、かつ他方の下側継手における前記４本の他方の各ネジ棒がそれぞれ挿入可能な他方の孔が設けられていると共に、前記４本の他方の各ネジ棒に対応する４つの前記他方の孔を一組として、複数組の当該他方の孔が前記先後方向に所定の間隔をおいて設けられていることを特徴とする請求項１〜４の何れかに記載の日常用下腿義足ソケットの後方型板バネ足への取付構造。
【請求項８】
前記下側継手は、略正方形の各頂点に位置するように配置された４本のネジ棒を介して前記支持板部に取り付けられるようになっており、
前記支持板部は、前記４本のネジ棒における隣り合う２本のネジ棒が前記上側帯状板部の幅方向に対応する左右方向及び当該左右方向に直交する先後方向に並べて配置された状態となるように構成されていると共に、前記隣り合う２本のネジ棒の軸心間隔の異なる二種類の前記下側継手が取り付けられるように構成されており、
前記支持板部には、前記二種類の下側継手のうち一方の下側継手における一方の前記各ネジ棒であって前記左右方向の右側に位置する一方の各ネジ棒及び他方の下側継手における他方の前記各ネジ棒であって前記左右方向の右側に位置する他方の各ネジ棒が共に挿入可能でかつ前記先後方向に移動可能な当該先後方向に長い形状の右側先後方向長孔が設けられていると共に、前記一方の下側継手における一方の前記各ネジ棒であって前記左右方向の左側に位置する一方の各ネジ棒及び他方の下側継手における他方の前記各ネジ棒であって前記左右方向の左側に位置する他方の各ネジ棒が共に挿入可能でかつ前記先後方向に移動可能な当該先後方向に長い形状の左側先後方向長孔が設けられており、
前記右側先後方向長孔及び左側先後方向長孔は、それぞれにおける４つの長手方向縁部のうち、前記左右方向の最も外側に位置する一対の外側長手方向縁部で、前記一方の下側継手における前記隣り合う２本のネジ棒の軸心間隔が広く設定された前記一方の各ネジ棒を前記先後方向に案内するようになっていると共に、前記４つの長手方向縁部のうち、前記左右方向の最も内側に位置する一対の内側長手方向縁部で、前記他方の下側継手における前記隣り合う２本のネジ棒の軸心間隔が狭く設定された前記他方の各ネジ棒を前記先後方向に案内するようになっていることを特徴とする請求項１〜４の何れかに記載の日常用下腿義足ソケットの後方型板バネ足への取付構造。
【請求項９】
前記各外側長手方向縁部には、前記一方の各ネジ棒を前記先後方向に拘束することにより、前記一方の下側継手を前記先後方向の複数の位置に拘束する複数の凹部が前記先後方向に所定の間隔をおいて複数形成されていることを特徴とする請求項８に記載の日常用下腿義足ソケットの後方型板バネ足への取付構造。
【請求項１０】
前記各内側長手方向縁部には、前記他方の各ネジ棒を前記先後方向に拘束することにより、前記他方の下側継手を前記先後方向の複数の位置に拘束する複数の凹部が前記先後方向に所定の間隔をおいて複数形成されていることを特徴とする請求項８又は９に記載の日常用下腿義足ソケットの後方型板バネ足への取付構造。
【考案の詳細な説明】
【技術分野】
【０００１】
本考案は、日常用下腿義足のソケットを後方型板バネ足に取り付けるための日常用下腿義足ソケットの後方型板バネ足への取付構造に関するものである。
【背景技術】
【０００２】
日常用下腿義足としては、例えば図８（ａ）に示すように、下腿切断部を下方から包込むようにして覆うソケットＡと、このソケットＡの下方に取り付けられた日常義足Ｂとを備え、ソケットＡと日常義足Ｂとが継手Ｃにより脱着可能に連結されたものが知られている。
【０００３】
継手Ｃは、上側継手Ｃ１とこれに着脱可能な下側継手Ｃ２とを備えた構成になっており、上側継手Ｃ１がソケットＡの下端部に取り付けられ、下側継手Ｃ２が下方義足部Ｂの上端部に取り付けられている。これらの上側継手Ｃ１及び下側継手Ｃ２は、それぞれの軸線が同一直線上となるように配置された状態で連結されるようになっており、その軸線の方向は通常の日常用下腿義足の場合はその使用状態においてほぼ上下方向となっている。
【０００４】
このため、日常義足Ｂに代えて、例えば図８（ｂ）に示すように、直下型板バネ足Ｄを用いた場合には、当該直下型板バネ足Ｄにおける上端部の上面に軸線を上下方向に向けた状態で下側継手Ｃ３を取り付けることができるので、その下側継手Ｃ３を上記上側継手Ｃ１に直接又は中間接継（間接部材）Ｃ４を介して連結することができる。なお、図８（ｂ）では中間継手Ｃ４を用いた例を示している。
【０００５】
但し、直下型板バネ足Ｄについては、板バネの特性を有効に発揮させる等の理由から、下端から上端までの高さ（義足長）がある程度以上のものとなっている。このため、日常用下腿義足のソケットＡをそのまま用いて直下型板バネ足Ｄの下側継手Ｃ３に連結した場合には、義足側の足の長さの方が健常側の足の長さより長くなってしまうことがあり、このような場合には中継継手Ｃ４を用いても義足側の足の長さを健常側の足の長さに合うように調整することができないという問題がある。
【０００６】
一方、直下型板バネ足Ｄに代えて、図８（ｃ）に示すような後方型板バネ足Ｅを用いた場合には、その使用状態において、上方に延在（この例では所定の勾配をもって上方に延在）する上側帯状板部Ｅ１が形成されたものとなるので、その上側帯状板部Ｅ１に上記下側継手Ｃ３に相当する基礎継手Ｃ５を上下方向に移動可能に設けることにより、義足側の足の長さを健常側の足の長さに合うように（即ち、調和するように）調整することができる。
【０００７】
しかし、後方型板バネ足Ｅを用いる場合は、後面に後方継手Ｃ６を有する特殊仕様のソケットＡ´を用いる必要があり、日常用下腿義足のソケットＡをそのまま用いることができないという問題がある。即ち、日常用下腿義足のソケットＡをそのまま用いて、板バネ足による走行を気軽に体験することができないという欠点がある。
【考案の概要】
【考案が解決しようとする課題】
【０００８】
本考案は、上記事情に鑑みてなされたものであり、日常用下腿義足のソケットをそのまま用いながら、義足側の足の長さを健常側の足の長さに合うように（即ち、調和するように）調整することのできる日常用下腿義足ソケットの後方型板バネ足への取付構造を提供することを課題としている。
【課題を解決するための手段】
【０００９】
上記課題を解決するために、請求項１に記載の考案は、使用状態において漸次上方に位置すべく直線状に延在する上側帯状板部を有する後方型板バネ足における前記上側帯状板部に、日常用下腿義足のソケットの下端部を取り付けるためのブラケットを備えた日常用下腿義足ソケットの後方型板バネ足への取付構造であって、前記ブラケットは、前記上側帯状板部の周囲を囲むようにして当該上側帯状板部に所定の間隙をもって嵌合し、少なくとも当該上側帯状板部の延在する方向に移動可能な角筒部を基端部に有し、その角筒部から下方に延在するように形成された中間部を有し、その中間部の下端部から先端に向けて延在し、前記ソケットを下方から支持する支持板部を有する構成になっており、
前記角筒部には、当該角筒部を前記上側帯状板部に固定する固定手段が備えられており、前記支持板部には、前記ソケットの下端部に設けられた上側継手と直接的に又は間接部材を介して連結が可能な下側継手が設けられていることを特徴としている。
【００１０】
請求項２に記載の考案は、請求項１に記載の考案において、前記固定手段は、前記上側帯状板部における厚さ方向の一方の帯状面に対向する前記角筒部の正面壁部に形成された複数のネジ孔にそれぞれねじ込まれ、前記一方の帯状面に先端部を押し付ける正面固定ネジを備えた構成になっていることを特徴としている。
【００１１】
請求項３に記載の考案は、請求項１又は２に記載の考案において、前記角筒部には、当該角筒部を前記上側帯状板部に対して当該上側帯状板部の幅方向に移動調整可能な左右位置調整手段が備えられており、前記左右位置調整手段は、上側帯状板部における幅方向の左右の各側面に対向する前記角筒部の左右の各側壁部に形成されたネジ孔にそれぞれねじ込まれ、前記側面に先端部を押し付ける側面固定ネジを備えた構成になっていることを特徴としている。
【００１２】
請求項４に記載の考案は、請求項１〜３の何れかに記載の考案において、前記上側帯状板部に取り付けられ、前記ソケットの外周に巻回したベルトを当該上側帯状板部側に引き付けるようにして当該ソケットを保持するベルト用ブラケットを備えてなり、前記ベルト用ブラケットは、前記角筒部と一体のもの又は当該角筒部とは別体のもので構成されていることを特徴としている。
【００１３】
請求項５に記載の考案は、請求項１〜４の何れかに記載の考案において、前記支持板部は、前記下側継手を前記上側帯状板部の幅方向に対応する左右方向に連続的に又は所定の間隔をおいて取り付けることが可能に構成されていると共に、当該下側継手を前記左右方向に直交する先後方向に連続的に又は所定の間隔をおいて取り付けることが可能に構成されていることを特徴としている。
【００１４】
請求項６に記載の考案は、請求項１〜４の何れかに記載の考案において、前記下側継手は、略正方形の各頂点に位置するように配置された４本のネジ棒を介して前記支持板部に取り付けられるようになっており、前記支持板部は、前記４本のネジ棒における隣り合う２本のネジ棒が前記上側帯状板部の幅方向に対応する左右方向及び当該左右方向に直交する先後方向に並べて配置された状態となるように構成されており、前記支持板部には、前記４本の各ネジ棒がそれぞれ挿入可能でかつ前記左右方向に移動可能な当該左右方向に長い形状の左右方向長孔が設けられていると共に、前記４本の各ネジ棒に対応する４つの前記左右方向長孔を一組として、複数組の当該左右方向長孔が前記先後方向に所定の間隔をおいて設けられていることを特徴としている。
【００１５】
請求項７記載の考案は、請求項１〜４の何れかに記載の考案において、前記下側継手は、略正方形の各頂点に位置するように配置された４本のネジ棒を介して前記支持板部に取り付けられるようになっており、前記支持板部は、前記４本のネジ棒における隣り合う２本のネジ棒が前記上側帯状板部の幅方向に対応する左右方向及び当該左右方向に直交する先後方向に並べて配置された状態となるように構成されていると共に、前記隣り合う２本のネジ棒の軸心間隔の異なる二種類の前記下側継手が取り付けられるように構成されており、前記支持板部には、前記二種類の下側継手のうち一方の下側継手における前記４本の一方の各ネジ棒がそれぞれ挿入可能な一方の孔が設けられていると共に、前記４本の一方の各ネジ棒に対応する４つの前記一方の孔を一組として、複数組の当該一方の孔が前記先後方向に所定の間隔をおいて設けられており、かつ他方の下側継手における前記４本の他方の各ネジ棒がそれぞれ挿入可能な他方の孔が設けられていると共に、前記４本の他方の各ネジ棒に対応する４つの前記他方の孔を一組として、複数組の当該他方の孔が前記先後方向に所定の間隔をおいて設けられていることを特徴としている。
【００１６】
請求項８に記載の考案は、請求項１〜４の何れかに記載の考案において、前記下側継手は、略正方形の各頂点に位置するように配置された４本のネジ棒を介して前記支持板部に取り付けられるようになっており、前記支持板部は、前記４本のネジ棒における隣り合う２本のネジ棒が前記上側帯状板部の幅方向に対応する左右方向及び当該左右方向に直交する先後方向に並べて配置された状態となるように構成されていると共に、前記隣り合う２本のネジ棒の軸心間隔の異なる二種類の前記下側継手が取り付けられるように構成されており、前記支持板部には、前記二種類の下側継手のうち一方の下側継手における一方の前記各ネジ棒であって前記左右方向の右側に位置する一方の各ネジ棒及び他方の下側継手における他方の前記各ネジ棒であって前記左右方向の右側に位置する他方の各ネジ棒が共に挿入可能でかつ前記先後方向に移動可能な当該先後方向に長い形状の右側先後方向長孔が設けられていると共に、前記一方の下側継手における一方の前記各ネジ棒であって前記左右方向の左側に位置する一方の各ネジ棒及び他方の下側継手における他方の前記各ネジ棒であって前記左右方向の左側に位置する他方の各ネジ棒が共に挿入可能でかつ前記先後方向に移動可能な当該先後方向に長い形状の左側先後方向長孔が設けられており、前記右側先後方向長孔及び左側先後方向長孔は、それぞれにおける４つの長手方向縁部のうち、前記左右方向の最も外側に位置する一対の外側長手方向縁部で、前記一方の下側継手における前記隣り合う２本のネジ棒の軸心間隔が広く設定された前記一方の各ネジ棒を前記先後方向に案内するようになっていると共に、前記４つの長手方向縁部のうち、前記左右方向の最も内側に位置する一対の内側長手方向縁部で、前記他方の下側継手における前記隣り合う２本のネジ棒の軸心間隔が狭く設定された前記他方の各ネジ棒を前記先後方向に案内するようになっていることを特徴としている。
【００１７】
請求項９に記載の考案は、請求項８に記載の考案において、前記各外側長手方向縁部には、前記一方の各ネジ棒を前記先後方向に拘束することにより、前記一方の下側継手を前記先後方向の複数の位置に拘束する複数の凹部が前記先後方向に所定の間隔をおいて複数形成されていることを特徴としている。
【００１８】
請求項１０に記載の考案は、請求項８に記載の考案において、前記各内側長手方向縁部には、前記他方の各ネジ棒を前記先後方向に拘束することにより、前記他方の下側継手を前記先後方向の複数の位置に拘束する複数の凹部が前記先後方向に所定の間隔をおいて複数形成されていることを特徴としている。
【考案の効果】
【００１９】
請求項１に記載の考案によれば、後方型板バネ足の上側帯状板部にソケットの下端部を取り付けるためのブラケットを備え、このブラケットは上側帯状板部にその延在方向に移動可能に嵌合する角筒部を有し、その角筒部から下方に延在する中間部を有し、その中間部の下端部から先端に向けて延在する支持板部を有し、その支持板部でソケットの下端部を支持するように構成されているので、例えば地上からソケットの下端部までの高さを低く抑えることができると共に、そのソケットの下端部までの高さを自由に調整することができる。
【００２０】
従って、日常用下腿義足のソケットをそのまま用いながら、義足側の足の長さを健常側の足の長さと調和するように調整することができる。よって、日常用下腿義足のソケットをそのまま用いて、後方型板バネ足による走行等を気軽に体験することができる。
【００２１】
また、上側継手と下側継手とを直接的に又は間接部材を介して連結することにより、ブラケットとソケットとを確実かつ強固に連結することができる。更に、固定手段によって角筒部を上側帯状板部に固定することにより、ブラケットを後方型板バネ足に確実かつ強固に固定することができる。従って、日常用下腿義足のソケットを用いて安全にかつ安心して後方型板バネ足による走行を楽しむことができる。
【００２２】
請求項２に記載の考案によれば、角筒部の正面壁部に形成した複数のネジ孔のそれぞれに正面固定ネジをねじ込み、それらの先端部を上側帯状板部の一方の帯状面に押し付けることにより、当該角筒部及び正面固定ネジを介してブラケットを上側帯状板部に強固に固定することができる。しかも、正面固定ネジを緩めることにより、上側帯状板部の延在する方向に角筒部を連続的に移動することができるので、義足側の足の長さを使用者の感覚にあった最適な位置に自由に調整することができるという利点がある。
【００２３】
請求項３に記載の考案によれば、角筒部が左右位置調整手段によって上側帯状板部の幅方向に移動調整可能になっているので、右足用又は左足用のソケットに応じてブラケットの位置を左右方向（上側帯状板部の幅方向）に調整することができる。しかも、左右方向の移動調整は側面固定ネジによって連続的に行なうことができるので、使用者の感覚に応じた最適な位置に自由に調整することができるという利点がある。
【００２４】
請求項４に記載の考案によれば、上側帯状板部に取り付けられ、ソケットに巻回したベルトを上側帯状板部側に引き付けるようにして当該ソケットを保持するベルト用ブラケットが備えられているので、ソケットが後方型板バネ足に一体化したような感覚を得ることができる。しかも、ベルトをベルト用ブラケットを介して後方型板バネ足に確実に保持することができるので、ベルト自体が上側帯状板部やソケットに沿って上下にずれるのを確実に防止することができる。
【００２５】
請求項５に記載の考案によれば、下側継手が左右方向に連続的に又は所定の間隔をおいて取り付けることが可能なように、支持板部が構成されているので、ソケットの位置を上側帯状板部の幅方向に調整することができる。しかも、下側継手が先後方向に連続的に又は所定の間隔をおいて取り付けることが可能なように、支持板部が構成されているので、ソケットの位置を上側帯状板部に対して離接する方向に間隔をおいて調整することができる。
【００２６】
請求項６に記載の考案によれば、支持板部には各ネジ棒がそれぞれ挿入可能で左右方向に長い４つの左右方向長孔を一組として、複数組の左右方向長孔が先後方向に所定の間隔をおいて設けられているので、ソケットの位置を上側帯状板部の幅方向に連側的に調整することができると共に、上側帯状板部に離接する方向に間隔をおいて調整することができる。
【００２７】
請求項７に記載の考案によれば、一方の下側継手における一方の各ネジ棒がそれぞれ挿入可能な４つの一方の孔を一組として、複数組の一方の孔が先後方向に所定の間隔をおいて設けられていると共に、他方の下側継手における他方の各ネジ棒がそれぞれ挿入可能な４つの他方の孔を一組として、複数組の他方の孔が前記先後方向に所定の間隔をおいて設けられているので、隣り合う２本のネジ棒の軸心間隔の異なる二種類の下側継手を支持板部に取り付けることができると共に、これらの各下側継手の取付位置を先後方向に間隔をおいて調整することができる。
【００２８】
従って、一方の下側継手に対応する上側継手を備えた例えば大人用のソケットを上側帯状板部に連結することができると共に、その大人用のソケットの位置を当該上側帯状板部に離接する方向に間隔をおいて調整することができる。また、他方の下側継手に対応する上側継手を備えた例えば子供用のソケットを上側帯状板部に連結することができると共に、その子供用のソケットの位置を当該上側帯状板部に離接する方向に間隔をおいて調整することもできる。
【００２９】
請求項８に記載の考案によれば、右側先後方向長孔及び左側先後方向長孔における一対の外側長手方向縁部で一方の下側継手における一方の各ネジ棒を先後方向に案内するようになっていると共に、右側先後方向長孔及び左側先後方向長孔における一対の内側長手方向縁部で他方の下側継手における他方の各ネジ棒を先後方向に案内するようになっているので、隣り合う２本のネジ棒の軸心間隔の異なる二種類の下側継手を支持板部に取り付けることができると共に、これらの各下側継手の取付位置を先後方向に連続的に調整することができる。
【００３０】
従って、一方の下側継手に対応する上側継手を備えた例えば大人用のソケットを上側帯状板部に連結することができると共に、その大人用のソケットの位置を当該上側帯状板部に離接する方向に連続的に調整することができる。また、他方の下側継手に対応する上側継手を備えた例えば子供用のソケットを上側帯状板部に連結することができると共に、その子供用のソケットの位置を当該上側帯状板部に離接する方向に連続的に調整することもできる。
【００３１】
請求項９に記載の考案によれば、各外側長手方向縁部に、一方の各ネジ棒を先後方向に拘束する複数の凹部が先後方向に所定の間隔をおいて複数形成されているので、一方の下側継手の取付位置を先後方向に間隔おいて調整することができる。但し、他方の下側継手については先後方向に連続的に調整することができる。
【００３２】
請求項１０に記載の考案によれば、各内側長手方向縁部にのみ、他方の各ネジ棒を先後方向に拘束する複数の凹部が先後方向に所定の間隔をおいて複数形成されている場合には、当該他方の下側継手の取付位置を先後方向に間隔おいて調整することができる。但し、一方の下側継手については先後方向に連続的に調整することができる。
【００３３】
また、各外側長手方向縁部及び各内側長手方向縁部の双方に上記凹部が形成されている場合には、一方及び他方の双方の下側継手についてその取付位置を先後方向に間隔おいて調整することができる。
【図面の簡単な説明】
【００３４】
【図１】本考案の第１の実施形態として示した日常用下腿義足ソケットの後方型板バネ足への取付構造の図であって、（ａ）は要部破断正面図であり、（ｂ）は要部拡大図である。
【図２】同日常用下腿義足ソケットの後方型板バネ足への取付構造におけるブラケットを示す図であって、（ａ）は正面図であり、（ｂ）は右側面図であり、（ｃ）は平面図であり、（ｄ）は（ｃ）のｄ−ｄ線に沿う断面図であり、（ｅ）は（ａ）のｅ−ｅ線に沿う拡大断面図である。
【図３】同日常用下腿義足ソケットの後方型板バネ足への取付構造における支持板部の各種の態様を示す平面説明図であり、（ａ）はボルト（ネジ棒）を挿入する左右方向長孔の例を示す平面説明図であり、（ｂ）二種類の下側継手におけるボルトを挿入する孔の例を示す平面説明図であり、（ｃ）はボルトを挿入する右側先後方向長孔及び左側先後方向長孔の例を示す平面説明図であり、（ｄ）は各外側長手方向縁部に複数の凹部を形成した例を示す平面説明図であり、（ｅ）は各内側長手方向縁部に複数の凹部を形成した例を示す平面説明図であり、（ｆ）は各外側長手方向縁部及び各内側長手方向縁部に複数の凹部を形成した例を示す平面説明図である。
【図４】本考案の第２の実施形態として示した日常用下腿義足ソケットの後方型板バネ足への取付構造の図であって、（ａ）は要部破断正面図であり、（ｂ）は拡大平面図である。
【図５】同日常用下腿義足ソケットの後方型板バネ足への取付構造におけるブラケットを示す図であって、（ａ）は正面図であり、（ｂ）は右側面図であり、（ｃ）は平面図であり、（ｄ）は（ｃ）のｄ−ｄ線に沿う断面図である。
【図６】本考案の第３の実施形態として示した日常用下腿義足ソケットの後方型板バネ足への取付構造の要部破断正面図である。
【図７】同日常用下腿義足ソケットの後方型板バネ足への取付構造におけるベルトブラケットを示す図であって、（ａ）は拡大平面図であり、（ｂ）は正面図であり、（ｃ）は右側面であり、（ｄ）は角筒部における上側帯状板部を通す角孔の上部に閉塞部を形成した例を示す正面図である。
【図８】従来例を示す説明図であり、（ａ）は日常用下腿義足を示す説明図であり、（ｂ）は日常用下腿義足のソケットを直下型板バネ足に取り付けた状態を示す説明図であり、（ｃ）は特殊仕様のソケットを後方型板バネ足に取り付けた状態を示す説明図である。
【考案を実施するための形態】
【００３５】
以下、本考案を実施するための形態を実施形態に基づいて詳細に説明する。
【００３６】
（第１の実施形態）
本考案の第１の実施形態について図１〜３を参照して説明する。この第１の実施形態で示す日常用下腿義足ソケットの後方型板バネ足への取付構造１０１は、図１に示すように、使用状態において漸次上方に位置すべく直線状に延在する上側帯状板部Ｅ１を有する後方型板バネ足Ｅにおけるその上側帯状板部Ｅ１に、日常用下腿義足のソケットＡの下端部を取り付けるためのブラケット１を備えたものとなっている。
【００３７】
後方型板バネ足Ｅは、所定の厚さ及び幅のカーボンファイバー製の帯状板によって形成されたものであり、当該後方型板バネ足Ｅの使用状態において、上方位置の上側帯状板部Ｅ１が走行方向の前方に向かって漸次上方に位置すべく所定の角度（勾配）をもって直線状に延在するように形成されている。また、上側帯状板部Ｅ１の下側部分は、下方に向かって漸次湾曲しながら走行方向の前方に位置するように形成されている。
【００３８】
ブラケット１は、図１及び図２に示すように、上側帯状板部Ｅ１の周囲を囲むようにして当該上側帯状板部Ｅ１に所定の間隙をもって嵌合し、当該上側帯状板部Ｅ１の延在する方向に移動可能な角筒部１１を基端部に有し、その角筒部１１から下方に延在するように形成された中間部１２を有し、その中間部１２の下端部から先端に向けて延在し、ソケットＡを下方から支持する支持板部１３を有するように構成されている。このブラケット１については、アルミニウムやチタン等の金属やそれらの合金によって一体的に形成されている。
【００３９】
角筒部１１は、上側帯状板部Ｅ１における厚さ方向の一方の帯状面に対向する正面壁部１１１、この正面壁部１１１に対向するように形成された背面壁部１１２及び上側帯状板部Ｅ１の幅方向の左右の側面に所定の間隔をおいて対向するように形成された一対の側壁部１１３、１１３によって、断面長方形状の四角筒状に形成されている。
【００４０】
中間部１２は、背面壁部１１２の下縁から下方に連続して直線状に延在する当該背面壁部１１２と同一厚さの帯状の板によって形成されており、下端部が走行方向の前方に漸次湾曲した形状になっている。この中間部１２には、その幅方向の各縁部に沿って前方に突出する補強用のリブ１２ａが形成されている。
【００４１】
支持板部１３は、中間部１２の下端部における前方に湾曲した端部から連続して延在する当該中間部１２と同一の幅及び板厚の帯状の板によって形成されている。この支持板部１３には、その幅方向の各縁部に沿って下方に突出する補強用のリブ１３ａが形成されていると共に、その先端縁部からも下方に突出する補強用のリブ１３ｂが形成されている。
【００４２】
支持板部１３の各リブ１３ａについては、中間部１２の各リブ１２ａとの関係において、それらのリブ１２ａ、１３ａの上縁と下縁との間の寸法が中間部１２の湾曲部分から支持板部１３にかけて一定の値となるように形成されている。これにより、リブ１２ａ、１３ａは、ソケットＡ等から支持板部１３等に作用する荷重に対して大きな曲げ剛性を得るようになっている。
【００４３】
また、支持板部１３は、使用状態における後方型板バネ足Ｅの上側帯状板部Ｅ１に角筒部１１を介して取り付けられた状態において、その上面がほぼ水平方向を向くように形成されている。
【００４４】
更に、支持板部１３には、図１（ｂ）、図２（ｃ）に示すように、下側継手Ｃ３を取り付けるための４本のボルトＣ３ｂを挿入する左右方向長孔１３１が複数形成されている。
【００４５】
下側継手Ｃ３は、図１（ｂ）及び図３（ａ）に示すように、平面視で略正方形状に形成されており、その四隅近傍部であって、略正方形の各頂点に位置するように配置された４本の各ボルト（ネジ棒）Ｃ３ｂを支持板部１３の上面側から各左右方向長孔１３１に挿入し、当該支持板部１３の下面に設けられた同じく略正方形状の当て板Ｃ３ａの各隅部に形成された貫通孔から下方に突出した当該各ボルトＣ３ｂのネジ部にナットＣ３ｃをねじ込んで締め付けることにより、当該支持板部１３に固定されるようになっている。なお、ボルトＣ３ｂとしては、皿ネジが用いられている。
【００４６】
そして、支持板部１３は、図３（ａ）に示すように、下側継手Ｃ３の４本の各ボルトＣ３ｂにおける隣り合う２本のボルトＣ３ｂが支持板部１３の幅方向に対応する左右方向及びその左右方向に直交する先後方向に並べて配置された状態となるように、各ボルトＣ３ｂを挿入する左右方向長孔１３１の位置が設定されている。
【００４７】
この場合、各左右方向長孔１３１は、挿入したボルトＣ３ｂが左右方向に移動可能なように、左右方向に長い形状となっている。そして、下側継手Ｃ３における４つのボルトＣ３ｂに対応する４つの左右方向長孔１３１を一組として、複数組の左右方向長孔１３１が先後方向に所定の間隔をおいて設けられている。なお、この例においては、下側継手Ｃ３における４本のボルトＣ３ｂの隣り合う２本のボルトＣ３ｂの軸心間隔であるピッチＰ１の１／３の一定の間隔で、各左右方向長孔１３１が先後方向に複数配置されている。
【００４８】
即ち、支持板部１３は、下側継手Ｃ３の取付位置を上側帯状板部Ｅ１の幅方向に連続的に調整可能に構成されていると共に、先後方向に一定の間隔をおいて調整可能に構成されている。
【００４９】
なお、この例では、図１（ａ）に示すように、下側継手Ｃ３と、ソケットＡの下端部に設けられた上側継手Ｃ１とを中間継手（間接部材）Ｃ４を介して連結するように構成したものを示しているが、下側継手Ｃ３を上側継手Ｃ１に直接連結可能なもので構成することにより、中間継手Ｃ４を省略するようにしてもよい。
【００５０】
また、角筒部１１には、図１（ａ）及び図２（特に図２（ｅ））に示すように、当該角筒部１１を上側帯状板部Ｅ１に固定する固定手段１１４が備えられている。固定手段１１４は、角筒部１１の正面壁部１１１に形成された複数のネジ孔１１１ａにそれぞれねじ込まれ、上側帯状板部Ｅ１における一方の帯状面に先端部を押し付けることにより、角筒部１１を上側帯状板部Ｅ１に固定する正面固定ネジ１１４ａを備えた構成になっている。正面固定ネジ１１４ａは、外周面の全体が雄ねじによって形成されたいわゆるいもねじによって構成されたものであり、上側帯状板部Ｅ１を押圧する先端面が平面状に形成され、基端面に六角穴が形成されている。
【００５１】
更に、角筒部１１には、当該角筒部１１を上側帯状板部Ｅ１に対して当該上側帯状板部Ｅ１の幅方向に移動調整することが可能な左右位置調整手段１１５が備えられている。左右位置調整手段１１５は、上側帯状板部Ｅ１における幅方向の左右の各側面に対向する各側壁部１１３に形成された上下一対のネジ孔１１３ａにそれぞれねじ込まれ、上側帯状板部Ｅ１の側面に先端部を押し付ける構造の側面固定ネジ１１５ａを備えた構成になっている。側面固定ネジ１１５ａは、外周面の全体が雄ねじによって形成されたいわゆるいもねじによって構成されたものであり、上側帯状板部Ｅ１を押圧する先端面が平面状に形成され、基端面に六角穴が形成されている。
【００５２】
上記のように構成された第１の実施形態に係る日常用下腿義足ソケットの後方型板バネ足への取付構造１０１においては、後方型板バネ足Ｅの上側帯状板部Ｅ１に日常用下腿義足のソケットＡの下端部を取り付けるためのブラケット１を備え、このブラケット１は上側帯状板部Ｅ１にその延在方向に移動自在に嵌合する角筒部１１を有し、その角筒部１１から下方に延在する中間部１２を有し、その中間部１２の下端部から先端側に延在する支持板部１３を有し、その支持板部１３でソケットＡの下端部を支持するように構成されているので、例えば地上からソケットＡの下端部までの高さを低く抑えることができると共に、そのソケットＡを支持する高さを自由に調整することができる。
【００５３】
従って、日常用下腿義足のソケットＡをそのまま用いながら、義足側の足の長さを健常側の足の長さに調和するように調整することができる。よって、日常用下腿義足のソケットＡをそのまま用いて、後方型板バネ足Ｅによる走行等を気軽に体験することができる。
【００５４】
また、ブラケット１とソケットＡとを、上側継手Ｃ１、下側継手Ｃ３及び中間継手Ｃ４によって確実かつ強固に連結することができる。更に、ブラケット１と後方型板バネ足Ｅとを、角筒部１１及び固定手段１１４によって確実かつ強固に連結することができる。従って、日常用下腿義足のソケットＡを用いて、安全にかつ安心して後方型板バネ足Ｅによる走行を楽しむことができる。
【００５５】
更に、角筒部１１の正面壁部１１１の各ネジ孔１１１ａに正面固定ネジ１１４ａをねじ込で締め付けることにより、上側帯状板部Ｅ１を角筒部１１に簡単かつ確実に固定することができる。しかも、各正面固定ネジ１１４ａを緩めるだけで、角筒部１１を上側帯状板部Ｅ１の延在する方向に連続的に移動することができる。従って、ソケットＡの上下方向の位置を使用者の感触にあった最適な位置に自由に調整することができる。
【００５６】
また更に、角筒部１１が左右位置調整手段１１５によって上側帯状板部Ｅ１の幅方向に移動調整可能になっているので、右足用又は左足用のソケットＡに応じてブラケット１の位置を左右方向に調整することができる。しかも、左右方向の移動調整は側面固定ネジ１１５ａによって連続的に行なうことができるので、使用者の感覚に応じた最適な位置に自由に調整することができるという利点がある。
【００５７】
更に、下側継手Ｃ３が左右方向に連続的に移動可能なように、支持板部１３に左右方向に長い左右方向長孔１３１が形成されているので、ソケットＡの位置を上側帯状板部Ｅ１の幅方向に連続的に調整することができる。しかも、左右方向長孔貫通孔１３１が先後方向に一定の間隔をおいて設けているので、ソケットＡの位置を上側帯状板部Ｅ１に対して離接する方向に一定の間隔をおいて調整することもできる。
【００５８】
なお、上記第１の実施形態においては、各ボルトＣ３ｂを挿入する孔を左右方向長孔１３１によって形成した例を示したが、その各ボルトＣ３ｂを挿入する孔については、図３（ｂ）〜（ｆ）に示すように形成されたものであってもよい。
【００５９】
即ち、図３（ｂ）〜（ｆ）に示す支持板部１３は、下側継手Ｃ３として、隣り合う２本のボルトＣ３ｂの軸心間隔の異なる一方の下側継手Ｃ３１及び他方の下側継手Ｃ３２の二種類のものが取り付け可能に構成されている。なお、一方の下側継手Ｃ３１は隣り合う２本のボルトＣ３ｂ１の軸心間隔がピッチＰ１のもので構成されており、他方の下側継手Ｃ３２は隣り合う２本のボルトＣ３ｂ２の軸心間隔が上記ピッチＰ１より小さなピッチＰ２のもので構成されている。
【００６０】
そして、図３（ｂ）に示す支持板部１３には、一方の下側継手Ｃ３１における一方の各ボルトＣ３ｂ１がそれぞれ挿入可能な４つの一方の孔１３１ａを一組として、複数組の一方の孔１３１ａが先後方向に所定の間隔をおいて設けられている。なお、この例において、一方の孔１３１ａは、上記ピッチＰ１の１／２の一定の間隔で、先後方向に複数形成されている。
【００６１】
更に、図３（ｂ）に示す支持板部１３には、他方の下側継手Ｃ３２における他方の各ボルトＣ３ｂ２がそれぞれ挿入可能な４つの他方の孔１３１ｂを一組として、複数組の他方の孔１３１ｂが先後方向に所定の間隔をおいて設けられている。なお、この例において、他方の孔１３１ｂは、上記ピッチＰ２の１／２の一定の間隔で、先後方向に複数形成されている。
【００６２】
上記のように支持板部１３に一方及び他方の孔１３１ａ、１３１ｂを設けた場合においては、隣り合う２本のボルトＣ３ｂの軸心間隔の異なる一方の下側継手Ｃ３１及び他方の下側継手Ｃ３２を支持板部１３に取り付けることができると共に、これらの第１及び他方の下側継手Ｃ３１、Ｃ３２の取付位置を先後方向に一定の間隔をおいて調整することができる。
【００６３】
従って、一方の下側継手Ｃ３１に対応する上側継手Ｃ１を備えた例えば大人用のソケットＡを後方型板バネ足Ｅの上側帯状板部Ｅ１に連結することができると共に、その大人用のソケットＡの位置を当該上側帯状板部Ｅ１に離接する方向に一定の間隔をおいて調整することができる。
【００６４】
しかも、他方の下側継手Ｃ３２に対応する上側継手Ｃ１を備えた例えば子供用のソケットＡを後方型板バネ足Ｅの上側帯状板部Ｅ１に連結することができると共に、その子供用のソケットＡの位置を当該上側帯状板部Ｅ１に離接する方向に間隔をおいて調整することもできるという利点がある。
【００６５】
また、図３（ｃ）に示す支持板部１３には、一方の下側継手Ｃ３１における一方の各ボルトＣ３ｂ１であって左右方向の右側に位置する一方の各ボルトＣ３ｂ１及び他方の下側継手Ｃ３２における他方の各ボルトＣ３ｂ２であって左右方向の右側に位置する他方の各ボルトＣ３ｂ２が共に挿入可能でかつ先後方向に移動可能な当該先後方向に長い形状の右側先後方向長孔１３１ｃが設けられている。
【００６６】
更に、図３（ｃ）に示す支持板部１３には、一方の下側継手Ｃ３１における一方の各ボルトＣ３ｂ１であって左右方向の左側に位置する一方の各ボルトＣ３ｂ１及び他方の下側継手Ｃ３２における他方の各ボルトＣ３ｂ２であって左右方向の左側に位置する他方の各ボルトＣ３ｂ２が共に挿入可能でかつ先後方向に移動可能な当該先後方向に長い形状の左側先後方向長孔１３１ｄが設けられている。
【００６７】
そして右側先後方向長孔１３１ｃ及び左側先後方向長孔１３１ｄは、それぞれにおける４つの長手方向縁部のうち、左右方向の最も外側に位置する一対の外側長手方向縁部１３１ｅ、１３１ｅで、一方の各ボルトＣ３ｂ１を前記先後方向に案内するようになっていると共に、前記４つの長手方向縁部のうち、左右方向の最も内側に位置する一対の内側長手方向縁部１３１ｆ、１３１ｆで、他方の下側継手Ｃ３２における他方の各ボルトＣ３ｂ２を先後方向に案内するようになっている。外側長手方向縁部１３１ｅ及び内側長手方向縁部１３１ｆは、先後方向に直線状に延在するように形成されている。
【００６８】
上記のように支持板部１３に右側先後方向長孔１３１ｃ及び左側先後方向長孔１３１ｄを設けた場合においては、その一対の外側長手方向縁部１３１ｅ、１３１ｅで一方の下側継手Ｃ３１における一方の各ボルトＣ３ｂ１を先後方向に案内することができると共に、一対の内側長手方向縁部１３１ｆ、１３１ｆで他方の下側継手Ｃ３２における他方の各ボルトＣ３ｂ２を先後方向に案内することができるので、隣り合う２本のボルトＣ３ｂの軸心間隔の異なる一方の下側継手Ｃ３１及び他方の下側継手Ｃ３２を支持板部１３に取り付けることができると共に、これらの下側継手Ｃ３１、Ｃ３２の取付位置を先後方向に連続的に調整することができる。
【００６９】
従って、大人用や子供用のソケットＡの位置を上側帯状板部Ｅ１に離接する方向に連続的に調整することができる。
【００７０】
また、図３（ｄ）に示す支持板部１３は、外側長手方向縁部１３１ｅ、１３１ｅに複数の凹部１３１ｇが形成され、内側長手方向縁部１３１ｆには凹部１３１ｇが形成されていないものとなっている。
【００７１】
凹部１３１ｇは、一方の下側継手Ｃ３１における一方の各ボルトＣ３ｂ１を先後方向に拘束すべくボルトＣ３ｂよりやや大径の半円状に形成されたものであり、外側長手方向縁部１３１ｅに沿って所定の間隔をおいて複数形成されている。なお、凹部１３１ｇは、ピッチＰ１の１／４の一定の間隔で、先後方向に複数形成されている。
【００７２】
上記のように構成することにより、一方の下側継手Ｃ３１の取付位置を先後方向に一定の間隔おいて調整することができると共に、他方の下側継手Ｃ３２の取付位置を先後方向に連続的に調整することができる。
【００７３】
また、図３（ｅ）に示す支持板部１３は、外側長手方向縁部１３１ｅ、１３１ｅには凹部が形成されておらず、内側長手方向縁部１３１ｆ、１３１ｆに複数の凹部１３１ｈが形成されたものとなっている。
【００７４】
凹部１３１ｈは、他方の下側継手Ｃ３２における他方の各ボルトＣ３ｂ２を先後方向に拘束すべく凹部１３１ｇと同径の半円状に形成されたものであり、内側長手方向縁部１３１ｆに沿って所定の間隔をおいて複数形成されている。なお、凹部１３１ｈは、ピッチＰ２の１／４の一定の間隔で、先後方向に複数形成されている。
【００７５】
上記のように構成することにより、一方の下側継手Ｃ３１の取付位置を先後方向に連続的に調整することができると共に、他方の下側継手Ｃ３２の取付位置を先後方向に一定の間隔をおいて調整することができる。
【００７６】
また、図３（ｆ）に示す支持板部１３は、外側長手方向縁部１３１ｅ、１３１ｅ及び内側長手方向縁部１３１ｆ、１３１ｆのそれぞれに凹部１３１ｇ、１３１ｈが複数形成されたものとなっている。
【００７７】
上記のように構成することにより、一方の下側継手Ｃ３１についても、他方の下側継手Ｃ３２についても、それらの取付位置を先後方向に一定の間隔おいて調整することができる。
【００７８】
（第２の実施形態）
次に、本考案の第２の実施形態について図４及び図５を参照して説明する。但し、上記第１の実施形態で示した構成要素と共通する要素には同一の符号を付し、その説明を省略する。
【００７９】
この第２の実施形態で示す日常用下腿義足ソケットの後方型板バネ足への取付構造１０２は、図４及び図５に示すように、ソケットＡを保持するベルト２及びこのベルト２を保持するベルト用ブラケット３を設けている点で上記第１の実施形態と異なっている。
【００８０】
即ち、ベルト用ブラケット３は、図４及び図５に示すように、上側帯状板部Ｅ１に取り付けられ、ソケットＡの外周に巻回したベルト２を当該上側帯状板部Ｅ１側に引き付けるようにして当該ソケットＡを保持するように構成されている。
【００８１】
但し、このベルト用ブラケット３は、角筒部１１に一体的に形成されることによって上側帯状板部Ｅ１に取り付けられるように構成されたものであり、当該角筒部１１における背面壁部１１２の左右方向の各縁部に沿って形成された一対のフランジ部３１及び各フランジ部３１に形成された上下方向に長いベルト挿入孔３１ａを有するものとなっている。各フランジ部３１は、走行方向の前方に突出するように形成されている。ベルト挿入孔３１ａは、その上下方向の長さがベルト２の幅よりやや長く形成されており、当該ベルト２が帯状の形状を保ったまま挿入可能となっている。
【００８２】
ベルト２は、屈曲性を有する所定の幅の帯状のもので構成されており、その長手方向の中間部をソケットＡの前方の外周に巻き渡した状態で、その長手方向の一方及び他方の端部２ａ、２ｂのそれぞれを各フランジ部３１の挿入孔３１ａに挿入するようになっている。そして、各挿入孔３１ａから引き出された一方及び他方の各端部２ａ、２ｂを挿入孔３１ａを支点にして前方に折り返すようにして更に引き出し、ソケットＡにすでに巻回されている部分に重ね合わすことにより、その重ね合わせた部分に設けたマジックテープ（登録商標）で固定することによって、ソケットＡを上側帯状板部Ｅ１側に引き付けるようにして保持するようになっている。
【００８３】
上記のように構成された第２の実施形態に係る日常用下腿義足ソケットの後方型板バネ足への取付構造１０２においては、上側帯状板部Ｅ１に取り付けられ、ソケットＡに巻回したベルト２を上側帯状板部Ｅ１側に引き付けるようにして当該ソケットＡを保持するベルト用ブラケット３を備えているので、ソケットＡを後方型板バネ足Ｅに一体化するように保持することができる。従って、ソケットＡが後方型板バネ足Ｅに一体化したような感覚を得ることができる。しかも、ベルト用ブラケット３が角筒部１１と一体的に構成されているので、軽量かつコンパクトなベルト用ブラケット３を得ることができる。
【００８４】
また、ベルト２自体もベルト用ブラケット３によって保持された状態になるので、当該ベルト２が上側帯状板部Ｅ１やソケットＡに沿って上下にずれるのを防止することができる。更に、ベルト２をマジックテープによって容易に脱着することができるので、そのベルト２の着脱が面倒になることもない。なお、マジックテープに代えてバックル等の他の連結手段を用いてもよい。
【００８５】
（第３の実施形態）
次に、本考案の第３の実施形態について図６及び図７を参照して説明する。但し、上記第２の実施形態で示した構成要素と共通する要素には同一の符号を付し、その説明を省略する。
【００８６】
この第３の実施形態で示す日常用下腿義足ソケットの後方型板バネ足への取付構造１０３は、図６及び図７に示すように、ベルト用ブラケット４が角筒部１１と別体のもので構成されている点で上述の第２の実施形態と異なっている。即ち、ベルト用ブラケット４以外は、第２の実施形態と同一の構成になっている。
【００８７】
ベルト用ブラケット４は、角筒部４１、一対のフランジ部４２及び各フランジ部４２に形成されたベルト挿入孔４２ａを有する構成になっている。このベルト用ブラケット４は、ブラケット１と同様の金属又は合成樹脂によって形成されている。
【００８８】
角筒部４１は、前述の角筒部１１と同様に、正面壁部４１１、背面壁部４１２及び一対の側壁部４１３、４１３を有し、正面壁部４１１には固定手段１１４が設けられ、各側壁部４１３には左右位置調整手段１１５が設けられている。なお、ベルト用ブラケット４においては、左右位置調整手段１１５を省略することも可能である。
【００８９】
一対のフランジ部４２は、角筒部４１における背面壁部４１２の左右方向の各縁部に沿って走行方向の前方に突出するように形成されている。ベルト挿入孔４２ａは、左右の各フランジ部４２に上下方向に長く形成され、ベルト２が挿入可能に構成されている。即ち、ベルト挿入孔４２ａは、その長さがベルト２の幅よりやや長く形成されており、当該ベルト２が帯状の形状を保ったまま挿入可能となっている。
【００９０】
上記構成のベルト用ブラケット４は、その角筒部４１を上側帯状板部Ｅ１における角筒部１１の上側に嵌合した上で、固定手段１１４及び左右位置調整手段１１５によって固定されることになる。このため、ベルト用ブラケット４についても、上側帯状板部Ｅ１に沿って上下方向の所定の位置に調整することが可能になっていると共に、上側帯状板部Ｅ１の幅方向の所定の位置に調整することが可能になっている。
【００９１】
ベルト２は、その一方及び他方の各端部２ａ、２ｂを各挿入孔４２ａに挿入して折り返し、マジックテープで固定することにより、第２の実施形態と同様にソケットＡを上側帯状板部Ｅ１側に引き付けた状態に固定することが可能になっている。
【００９２】
上記のように構成された第３の実施形態に係る日常用下腿義足ソケットの後方型板バネ足への取付構造１０３においても、第２の実施形態同様の作用効果を奏する。また、ベルト用ブラケット４がブラケット１と独立して位置調整が可能であるので、種々の形状のソケットＡにおける最も適切な位置にベルト２を巻回して当該ソケットＡを確実に保持することができる。
【００９３】
なお、角筒部４１については、図７（ｄ）に示すように、上側帯状板部Ｅ１を通す角孔の上部を閉塞した構造のもので構成してもよい。この場合は、その閉塞部４１４がストッパとなって、ベルト用ブラケット４の下方への移動を防止することができる。また、角筒部４１が上側帯状板部Ｅ１の上端部を覆うカバーとして機能するようにすることもできる。
【符号の説明】
【００９４】
１０１、１０２、１０３  日常用下腿義足ソケットの後方型板バネ足への取付構造
１  ブラケット
２  ベルト
３  ベルト用ブラケット
４  ベルト用ブラケット
１１  角筒部
１２  中間部
１３  支持板部
１１１ａ  ネジ孔
１１３ａ  ネジ孔
１１４  固定手段
１１４ａ  正面固定ネジ
１１５  左右位置調整手段
１１５ａ  側面固定ネジ
１３１  左右方向長孔
１３１ａ  一方の孔
１３１ｂ  他方の孔
１３１ｃ  右側先後方向長孔
１３１ｄ  左側先後方向長孔
１３１ｅ  外側長手方向縁部
１３１ｆ  内側長手方向縁部
１３１ｇ、１３１ｈ  凹部
Ａ  ソケット
Ｅ  後方型板バネ足
Ｅ１  上側帯状板部
Ｃ１  上側継手
Ｃ３  下側継手
Ｃ３ｂ、Ｃ３ｂ１、Ｃ３ｂ２  ボルト（ネジ棒）
Ｃ４  中間接継（間接部材）
Ｃ３１  一方の下側継手
Ｃ３２  他方の下側継手
【図１】
0003210732.tif 000003
【図２】
0003210732.tif 000004
【図３】
0003210732.tif 000005
【図４】
0003210732.tif 000006
【図５】
0003210732.tif 000007
【図６】
0003210732.tif 000008
【図７】
0003210732.tif 000009
【図８】
0003210732.tif 000010